(57)【要約】【課題】圧縮／伸張手段によるジョブの処理中に、ＦＡＸ受信ジョブ等のタイムアウトジョブが入力された場合に、このタイムアウトジョブの処理を早期に行って、通信エラーの発生を回避しうるデータ処理装置を提供する。【解決手段】入力されたジョブのデータを圧縮し、かつ圧縮されたデータを伸張する複数個の圧縮／伸張手段７１〜７４と、前記圧縮／伸張手段を制御する制御手段７と、入力されたジョブのデータを前記圧縮／伸張手段により処理中に、入力から所定時間経過後に入力を切断するタイムアウトジョブが入力されているか否かを判定する入力判定手段９と、を備える。前記入力判定手段９によりタイムアウトジョブが入力されていると判定された場合には、前記制御手段７は、前記圧縮／伸張手段７１〜７４の制御内容を変更する。【選択図】    図１
2004356736.tif 000002
【特許請求の範囲】
【請求項１】
入力されたジョブのデータを圧縮し、かつ圧縮されたデータを伸張する複数個の圧縮／伸張手段と、
前記圧縮／伸張手段を制御する制御手段と、
入力されたジョブのデータを前記圧縮／伸張手段により処理中に、入力から所定時間経過後に入力を切断するタイムアウトジョブが入力されているか否かを判定する入力判定手段と、
を備え、
前記入力判定手段によりタイムアウトジョブが入力されていると判定された場合には、前記制御手段は、前記圧縮／伸張手段の制御内容を変更することを特徴とするデータ処理装置。
【請求項２】
前記入力判定手段により、タイムアウトジョブが入力されていることが判定された場合には、前記制御手段は、前記圧縮／伸張手段による前記処理中のジョブの処理と前記タイムアウトジョブの処理とが同時並行して行われるように、前記圧縮／伸張手段の割り当てを変更する請求項１に記載のデータ処理装置。
【請求項３】
前記圧縮／伸張手段の全てを用いての前記ジョブの処理中に、タイムアウトジョブが入力されていることが判定された場合には、前記制御手段は、少なくとも１個の圧縮／伸張手段を前記タイムアウトジョブの処理に割り当て、タイムアウトジョブが入力されていないと判定された場合には、圧縮／伸張手段の割り当てを変更しないように制御する請求項１または２に記載のデータ処理装置。
【請求項４】
前記タイムアウトジョブがファクシミリ受信ジョブである請求項１ないし３のいずれかに記載のデータ処理装置。
【発明の詳細な説明】
【０００１】
【発明の属する技術分野】
この発明は、例えば複写機能、プリンタ機能、スキャナ機能、ファクシミリ機能などの多機能を備えた複合機であるＭＦＰ（Ｍｕｌｔｉ  Ｆｕｎｃｔｉｏｎ  Ｐｒｏｄｕｃｔｓ）等に用いられるデータ処理装置に関する。
【０００２】
なお、以下の記載において、ファクシミリを「ＦＡＸ」と記す。
【０００３】
【従来の技術】
上記のようなＭＦＰは、多機能を実現するために、複数の入力手段、例えばパーソナルコンピュータ（以下、パソコンという）等の外部装置からネットワークを介して送られてくるプリントジョブを受信する受信部や、ＦＡＸ装置等の外部装置から通信回線網を介して送られてくるＦＡＸジョブを受信する受信部や、原稿を読み取るための原稿読取部等を備えている。
【０００４】
また、前記原稿読取部で読み取った画像データや前記外部装置からのプリントデータ等をプリントするプリンタ部等を備えている。また、各入力手段から入力されたデータを記憶するファイルメモリを備えている。
【０００５】
このファイルメモリへ蓄積されるデータの記憶容量を小さくするために、一般には、データを圧縮及び伸張する圧縮／伸張器が設けられている。そして、入力されたデータは、圧縮／伸張器に転送されて圧縮され、この圧縮されたデータがファイルメモリに蓄積されるものとなされている。
【０００６】
このようなＭＦＰにおいて、例えば原稿読取部で読み取った原稿の画像データを、前記圧縮／伸張器で処理しているときに、ＦＡＸジョブを受信することがある。この場合、従来では、前記画像データの処理が終わるまで、ＦＡＸ受信ジョブに含まれるデータの圧縮／伸張器による処理を行うことができなかった。
【０００７】
しかも、ＦＡＸ受信ジョブのようなタイムアウトジョブを受信した場合、電話回線上で規定された時間内に、圧縮／伸張器による圧縮及びファイルメモリへの保存を終了しないと、通信エラーが発生してしまうという問題があった。
【０００８】
なお、下記特許文献１には、並列に接続された複数個の圧縮／伸張器について、出力対象データの量に応じて圧縮動作と伸張動作の割り当てを変える技術が記載されている。例えば、符号データを間引きながらファイルメモリから読み出す場合や、偶数頁の符号データのみの出力の場合には、ファイルメモリに蓄積されるデータの量が読み出される画像データの量よりも多いので、複数の圧縮／伸張器のうち圧縮動作を行うものを多くし、伸張用を少なくすることが記載されている。また、ソートコピーの場合、最初の一枚目は全ての圧縮／伸張器で圧縮し、２枚目以降は圧縮用、伸張用にそれぞれ半分ずつ使用し、蓄積完了後は全てを伸張用に用いる、ことが記載されている。
【０００９】
【特許文献１】
特開平１１−４１４２９号公報
【００１０】
【発明が解決しようとする課題】
しかしながら、上記特許文献１の技術では、圧縮／伸張器を効率的に動作させることは記載されているものの、ジョブの処理中に、ＦＡＸ受信ジョブ等のような入力から所定時間経過後に入力を切断するタイムアウトジョブを受信した場合に、タイムアウトジョブの処理を早期に行おうという技術的思想は存在しておらず、前記問題の解決には十分ではなかった。
【００１１】
この発明は、このような背景に鑑みてなされたものであって、圧縮／伸張手段によるジョブの処理中に、ＦＡＸ受信ジョブ等のタイムアウトジョブが入力された場合に、このタイムアウトジョブの処理を早期に行って、通信エラーの発生を回避しうるデータ処理装置の提供を課題とする。
【００１２】
【課題を解決するための手段】
上記課題は、入力されたジョブのデータを圧縮し、かつ圧縮されたデータを伸張する複数個の圧縮／伸張手段と、前記圧縮／伸張手段を制御する制御手段と、入力されたジョブのデータを前記圧縮／伸張手段により処理中に、入力から所定時間経過後に入力を切断するタイムアウトジョブが入力されているかか否かを判定する入力判定手段と、を備え、前記入力判定手段によりタイムアウトジョブが入力されていると判定された場合には、前記制御手段は、前記圧縮／伸張手段の制御内容を変更することを特徴とするデータ処理装置によって解決される。
【００１３】
このデータ処理装置では、ジョブのデータを前記圧縮／伸張手段により処理中に、タイムアウトジョブが入力されているか否かが入力判定手段により判定され、入力されていると判定された場合には、制御手段は、圧縮／伸張手段の制御を変更する。従って、制御手段は、タイムアウトジョブの処理を早期に行いうるように、制御内容を変更すれば良く、通信エラーの発生が抑制される。
【００１４】
前記データ処理装置において、前記入力判定手段により、タイムアウトジョブが入力されていることが判定された場合には、前記制御手段は、前記圧縮／伸張手段による前記処理中のジョブの処理と前記タイムアウトジョブの処理とが同時並行して行われるように、前記圧縮／伸張手段の割り当てを変更する構成としても良い。
【００１５】
この場合には、タイムアウトジョブが入力されていると、圧縮／伸張手段の割り当てが変更されて、前記処理中のジョブの処理と前記タイムアウトジョブの処理とが同時並行して行われるから、タイムアウトジョブの処理を早期に行うことができ、従来のように処理中のジョブの終了までタイムアウトジョブが待たされことによる通信エラーの発生がなくなる。また、処理中のジョブについても処理がそのまま継続される。
【００１６】
また、前記圧縮／伸張手段の全てを用いての前記ジョブの処理中に、タイムアウトジョブが入力されていることが判定された場合には、前記制御手段は、少なくとも１個の圧縮／伸張手段を前記タイムアウトジョブの処理に割り当て、タイムアウトジョブが入力されていないと判定された場合には、圧縮／伸張手段の割り当てを変更しないように制御する構成としても良い。
【００１７】
この場合には、タイムアウトジョブに対して少なくとも１個の圧縮／伸張手段が割り当てられることになり、タイムアウトジョブの処理の実行が確実に確保されることになる。一方、タイムアウトジョブの入力がない場合は、処理中のジョブの処理を、全ての圧縮／伸張手段を用いてそのまま継続できるから、生産性が低下することもない。
【００１８】
前記タイムアウトジョブの一例としては、ＦＡＸ受信ジョブがあり、この場合には、ＦＡＸ受信ジョブについての通信エラーの発生が抑制される。
【００１９】
【発明の実施の形態】
次に、この発明の一実施形態について説明する。
【００２０】
図１は、この発明の一実施形態に係るデータ処理装置としてのＭＦＰ１のブロック図である。
【００２１】
このデータ処理装置は、複数個の入力手段と複数個の出力手段を備えている。即ち、入力手段としての原稿読取部２及び外部コントローラインターフェース部（図面では、外部コントローラＩ／Ｆと記す）１２と、出力手段としてのプリンタ部３と、入力手段及び出力手段の両方として機能するイーサネット（ＥｔｈｅｒＮｅｔ）コントローラ４と、同じく入力手段及び出力手段の両方として機能するＦＡＸコントローラ１１を備えている。
【００２２】
前記原稿読取部２は、原稿を読み取るためのスキャナを備え、読み取った原稿の画像データは、読取画像インターフェース部（図面ではＩＲ画像Ｉ／Ｆと記す）２１を介して、バス調停器８に送られるものとなされている。前記外部コントローラインターフェース部１２は、図示しない外部コントローラからのプリントジョブを受信する。前記プリンタ部３は、バス調停器８から転送されてきた画像データを用紙等にプリントする。
【００２３】
また、前記イーサネットコントローラ４は、イーサネット３０を介してジョブの送受を行うものであり、パソコンやＩＦＡＸ装置等の外部装置４０からイーサネット４１を介して送信されてきたプリントジョブやＩＦＡＸジョブを受信し、あるいは原稿読取部２で読み取った原稿の画像データを、イーサネット４１を介して外部装置４０へ送信する。
【００２４】
また、前記ＦＡＸコントローラ１１は、電話回線５１を介して外部ＦＡＸ装置５０との間でＦＡＸジョブの送受を行うものであり、外部ＦＡＸ装置５０から電話回線５１を介して送信されてきたＦＡＸジョブを受信し、あるいは原稿読取部２で読み取った原稿の画像データを、電話回線５１を介して外部ＦＡＸ装置５０へＦＡＸ送信する。
【００２５】
さらに、ＭＦＰ１は、ワークメモリ５、ファイルメモリ６、圧縮・伸張制御部７、前述したバス調停器８、ＣＰＵ９、メモリコントローラＰＣＩブリッジ１０を備えている。
【００２６】
前記ワークメモリ５は、イーサネットコントローラ４が受信した外部装置４０からのプリントジョブに含まれるプリントデータ、ＦＡＸコントローラ１１が受信したＦＡＸ受信ジョブに含まれるデータ、あるいは原稿読取部２で読み取られた画像データ、等の出力対象データを展開したり、他のデータを記憶したりするものである。
【００２７】
前記圧縮・伸張制御部７は、この実施形態では並列接続された４個の圧縮／伸張器７１〜７４を備え、前記出力対象データの圧縮及び伸張を、前記圧縮／伸張器７１〜７４に行わせる。この実施形態では、後述するように、１つのジョブのデータを全ての圧縮／伸張器７１〜７４を使用して圧縮または伸張処理中に、タイムアウトジョブであるＦＡＸ受信ジョブがＦＡＸコントローラ１１に入力されている場合には、圧縮・伸張制御部７はＣＰＵ９の指令に基づいて、４個の圧縮／伸張器７１〜７４のうちの一部例えば１つを、前記ＦＡＸ受信ジョブの処理のために割り当てるように制御する。一方、ＦＡＸ受信ジョブが入力されていない場合には、ＦＡＸ受信ジョブ（タイムアウトジョブ）以外のジョブが入力されていても、全ての圧縮／伸張器７１〜７４を処理継続中のジョブにそのまま割り当てるように制御する。
【００２８】
前記ファイルメモリ６は、圧縮／伸張器７１〜７４で圧縮された出力対象データを蓄積する。
【００２９】
前記バス調停器８は、転送制御部８１によって、前記出力対象データのＭＦＰ内の各部への転送を行うものである。
【００３０】
前記メモリコントローラＰＣＩブリッジ１０は、ワークメモリ５を制御するとともに、ＣＰＵ９のバスとＰＣＩバスとを接続するものである。
【００３１】
前記ＣＰＵ９は、メモリコントローラＰＣＩブリッジ１０、転送制御部８１、圧縮・伸張制御部７等、ＭＦＰ１の全体を統括的に制御する他、各種の判断を行う。例えば、ＦＡＸ受信ジョブを受信中か否か換言すればＦＡＸ受信ジョブが入力されているか否かを判定する入力判定手段として機能したり、出力されるジョブが１部目の出力か２部目以降の出力か等を判断する。
【００３２】
図１に示したＭＦＰ１において実行可能なジョブは、コピヤジョブ、スキャンジョブ、内部プリンタジョブ、外部コントローラプリントジョブ、ＦＡＸ送信ジョブ、ＦＡＸ受信ジョブである。これら各ジョブのデータの流れは次の通りである。
【００３３】
即ち、コピヤジョブについては、原稿読取部２で読み取られた画像データが、読取画像インターフェース部２１を介してワークメモリ５に転送され、さらにデータは所定のブロック毎に圧縮・伸張制御部７に転送されて圧縮され、ファイルメモリ６に記憶される。そして、ファイルメモリ６から読み出されて圧縮・伸張制御部７で伸張され、ワークメモリ５、プリンタインターフェース部３１を経由してプリンタ部３に転送され、プリントされる。
【００３４】
スキャンジョブについては、原稿読取部２で読み取られた画像データが、読取画像インターフェース部２１を介してワークメモリ５に転送され、さらにデータは所定のブロック毎に圧縮・伸張制御部７に転送されて圧縮され、ファイルメモリ６に記憶される。そして、ファイルメモリ６から読み出されて圧縮・伸張制御部７で伸張され、ワークメモリ５を経由してイーサネットコントローラ４へ転送され、イーサネット４１を介してパソコン等の外部装置４０へと送信される。
【００３５】
内部プリンタジョブについては、外部装置４０からイーサネット４１を経由して送信されてきたプリントデータがイーサネットコントローラ４で受信され、ワークメモリ５に展開される。展開されたデータは所定のブロック毎に圧縮・伸張制御部７に転送されて圧縮され、ファイルメモリ６に記憶される。そして、ファイルメモリ６から読み出されて圧縮・伸張制御部７で伸張され、ワークメモリ５、プリンタインターフェース部３１を経由してプリンタ部３に転送され、プリントされる。
【００３６】
外部コントローラプリントジョブについては、図示しない外部コントローラから送られてきたプリントデータが、外部コントローラインターフェース部１２で受信され、ワークメモリ５に展開される。展開されたデータは所定のブロック毎に圧縮・伸張制御部７に転送されて圧縮され、ファイルメモリ６に記憶される。そして、ファイルメモリ６から読み出されて圧縮・伸張制御部７で伸張され、ワークメモリ５、プリンタインターフェース部３１を経由してプリンタ部３に転送され、プリントされる。
【００３７】
ＦＡＸ送信ジョブについては、原稿読取部２で読み取られた画像データが、読取画像インターフェース部２１を介してワークメモリ５に転送され、さらにデータは所定のブロック毎に圧縮・伸張制御部７に転送されて圧縮され、ファイルメモリ６に記憶される。そして、ファイルメモリ６から読み出されて圧縮・伸張制御部７で伸張され、ワークメモリ５を経由してＦＡＸコントローラ１１へ転送され、電話回線５１を介して外部ＦＡＸ装置５０へと送信される。
【００３８】
ＦＡＸ受信ジョブについては、電話回線５１を介して外部ＦＡＸ装置５０から送られてきた画像データが、ＦＡＸコントローラ１１で受信され、ワークメモリ５に転送される。次いで、データは所定のブロック毎に圧縮・伸張制御部７に転送されて圧縮され、ファイルメモリ６に記憶される。そして、ファイルメモリ６から読み出されて圧縮・伸張制御部７で伸張され、ワークメモリ５、プリンタインターフェース部３１を経由してプリンタ部３に転送され、プリントされる。
【００３９】
次に、例えば上述したようなコピヤジョブ、スキャンジョブ、内部プリンタジョブ、外部プリントジョブのうちのいずれかのジョブ（以下、処理中ジョブという）についてのデータが、圧縮・伸張制御部７における圧縮／伸張器７１〜７４で圧縮され、あるいは伸張されているときに、ＦＡＸ受信ジョブが入力（受信）されてきた場合に、圧縮・伸張制御部７が実行する圧縮／伸張器７１〜７４の切換処理について、図２に示すフローチャートを参照して説明する。
【００４０】
この切換処理は、処理中ジョブの処理において、圧縮／伸張器７１〜７４を起動しようとするとき、または圧縮／伸張器７１〜７４の処理が完了した場合に、その都度コールされる。従って、圧縮／伸張器７１〜７４によるブロック毎のデータの圧縮または伸張処理の起動時、または完了時に毎回実行される。
【００４１】
ここで、処理中ジョブの圧縮または伸張処理は、全ての圧縮／伸張器７１〜７４を用いて行われているものとする。
【００４２】
Ｓ１０１では、ＦＡＸ以外のジョブ（処理中ジョブ）が、圧縮／伸張器７１〜７４を使用中か否かを判断する。使用中でなければ（Ｓ１０１の判断がＮＯ）、Ｓ１０２で、ＦＡＸ受信中か否かをＣＰＵ９を介して判断する。受信中であれば（Ｓ１０２の判断がＹＥＳ）、Ｓ１０３で、前記処理中ジョブに対して４個の圧縮／伸張器７１〜７４のうちの３個を割り当てる。換言すれば、残りの１個を受信中のＦＡＸ受信ジョブに割り当てて切換処理を終了する。これにより、処理中ジョブの圧縮または伸張処理と、ＦＡＸ受信ジョブの圧縮または伸張処理とが同時並行して実行される。
【００４３】
一方、Ｓ１０２でＦＡＸ受信中でなければ（Ｓ１０２の判断がＮＯ）、Ｓ１０４で、全ての圧縮／伸張器７１〜７４を処理中ジョブに割り当てたのち、切換処理を終了する。これにより処理中ジョブの生産性が低下することがない。
【００４４】
なお、Ｓ１０２の判断において、ＦＡＸ受信ジョブ以外のジョブが入力されたことが判定されても、ＦＡＸ受信中ではないので、Ｓ１０２の判断はＮＯとなる。従って、ＦＡＸ受信ジョブ以外のジョブは、処理中ジョブと同時並行処理は行われず、処理中ジョブの処理終了後に処理されることになる。
【００４５】
なお、Ｓ１０１において、処理中ジョブの処理に圧縮／伸張器７１〜７４が使用中であるときは（Ｓ１０１の判断がＹＥＳ）、割り当ての変更は不可能であるので、何もしない。そして、次に、圧縮／伸張器７１〜７４の処理が終了すると、再度図２のルーチンがコールされて、切換処理が実行される。
【００４６】
図３は、ＦＡＸ受信ジョブについて、送信側との間でやりとりされるプロトコルの手順を示す図である。具体的には、送信側及び受信側の能力交換とそれによる通信モード（速度・符号化方式・変調方式）の決定を行い、その後、決定されたモードで画像データの受信を行う。この実施形態において、受信中（入力中）とは、図３におけるＣＮＧ（ダイアル発信がファクシミリからであることを示す音）の受信からＤＣＮ（終了宣言）の受信までをいい、この間は圧縮／伸張器７１〜７４のうちの１つが常にこのＦＡＸ受信ジョブに割り当てられることになる。
【００４７】
以上、本発明の一実施形態を説明したが、本発明は上記実施形態に限定されることはない。例えば、４個の圧縮／伸張器７１〜７４のうち１個をＦＡＸ受信ジョブに割り当てるものとしたが、２個または３個であっても良い。また、圧縮／伸張器の数も４個に限定されることはない。
【００４８】
また、タイムアウトジョブがＦＡＸ受信ジョブである場合を示したが、入力から所定時間経過後に入力が切断されるジョブであればよい。
【００４９】
以上説明した具体的実施形態には、以下の構成を有する発明が含まれる。
（１）入力判定手段は、圧縮／伸張手段の起動時または圧縮／伸張手段による処理完了時に、その都度、タイムアウトジョブが入力されているか否かを判定する請求項１に記載のデータ処理装置。
（２）入力されたジョブのデータを前記圧縮／伸張手段により処理中に、入力から所定時間経過後に入力を切断するタイムアウトジョブが入力されているか否かを判定するステップと、
タイムアウトジョブが入力されていると判定された場合には、前記圧縮／伸張手段の制御内容を変更するステップと、
を備えたことを特徴とするデータ処理方法。
（３）タイムアウトジョブが入力されていることが判定された場合には、前記圧縮／伸張手段によるタイムアウトジョブの処理と前記処理中のジョブの処理とが同時並行して行われるように、前記圧縮／伸張手段の割り当てを変更する前項２に記載のデータ処理方法。
（４）前記圧縮／伸張手段の全てを用いての前記ジョブの処理中に、タイムアウトジョブが入力されていることが判定された場合には、少なくとも１個の圧縮／伸張手段を前記タイムアウトジョブの処理に割り当て、タイムアウトジョブが入力されていないと判定された場合には、圧縮／伸張手段の割り当てを変更しないように制御する前項２または３に記載のデータ処理方法。
（５）前記タイムアウトジョブがファクシミリ受信ジョブである前項２ないし４のいずれかに記載のデータ処理装置。
【００５０】
【発明の効果】
この発明は、上述の次第で、ジョブのデータを圧縮／伸張手段により処理中に、タイムアウトジョブが入力されているか否かが入力判定手段により判定され、入力されていると判定された場合には、制御手段が、圧縮／伸張手段の制御を変更するから、制御手段は、タイムアウトジョブの処理を早期に行いうるように、制御内容を変更すれば良く、これにより、タイムアウトジョブの処理を早期に行うことができ、処理中のジョブの終了までタイムアウトジョブが待たされことによる通信エラーの発生を抑制できる。
【００５１】
また、前記入力判定手段により、タイムアウトジョブが入力されていることが判定された場合には、前記制御手段は、前記圧縮／伸張手段によるタイムアウトジョブの処理と前記処理中のジョブの処理とが同時並行して行われるように、前記圧縮／伸張手段の割り当てを変更する構成となされている場合には、タイムアウトジョブが入力されていると、圧縮／伸張手段の割り当てが変更されて、タイムアウトジョブの処理と前記処理中のジョブの処理とが同時並行して行われるから、タイムアウトジョブの早期処理を確実に行うことができ、通信エラーの発生を回避しうる。また、処理中のジョブについても処理をそのまま継続することができる。
【００５２】
また、前記圧縮／伸張手段の全てを用いての前記ジョブの処理中に、タイムアウトジョブが入力されていることが判定された場合には、前記制御手段は、少なくとも１個の圧縮／伸張手段を前記タイムアウトジョブの処理に割り当て、タイムアウトジョブが入力されていないと判定された場合には、圧縮／伸張手段の割り当てを変更しないように制御する構成となされている場合には、タイムアウトジョブに対して少なくとも１個の圧縮／伸張手段が割り当てられることになり、タイムアウトジョブの処理の実行が確実に確保されることになる。一方、タイムアウトジョブの入力がない場合は、処理中のジョブの処理を、全ての圧縮／伸張手段を用いてそのまま継続できるから、生産性が低下することもない。
【００５３】
また、前記タイムアウトジョブがＦＡＸ受信ジョブである場合には、ＦＡＸ受信ジョブについての通信エラーの発生を回避することができる。
【図面の簡単な説明】
【図１】この発明の一実施形態に係るデータ処理装置の構成を示すブロック図である。
【図２】図１のデータ処理装置においてジョブの処理中に、タイムアウトジョブが入力されたときの圧縮／伸張器の切換処理の内容を示すフローチャートである。
【図３】外部ＦＡＸ装置とのＦＡＸ信号のやりとりを示す図である。
【符号の説明】
１            ＭＦＰ（データ処理装置）
２                    原稿読取部
３                    プリンタ部
４                    イーサネットコントローラ
５                    ワークメモリ
６                    ファイルメモリ
７                        圧縮／伸張制御部
７１〜７４        圧縮／伸張器
８１                    転送制御部
９                        ＣＰＵ（入力判定手段）
１０                    メモリコントローラ
１１                    ＦＡＸコントローラ
５０                    外部ＦＡＸ装置
【図１】
2004356736.tif 000003
【図２】
2004356736.tif 000004
【図３】
2004356736.tif 000005